(57)【特許請求の範囲】
【請求項１】
表示画面の近傍領域に設けられ、測定光を照射する発光部と、被検出物による反射光を受光する受光部とを有するセンサ手段と、
前記受光部の受光量に基づいて、前記センサ手段から前記被検出物までの距離を算出する距離算出手段と、
前記表示画面の輝度を検出する輝度検出手段と、
前記輝度検出手段によって検出された輝度に基づいて、前記距離算出手段による距離算出に用いられる前記受光部の受光量を補正する補正手段と、
を備え、前記表示画面は、裏側にバックライトが設けられた液晶パネルであり、
前記輝度検出手段は、前記液晶パネルに表示する画像の内容に基づいて、前記表示画面の輝度を検出することを特徴とする物体接近検出装置。
【請求項２】
請求項１において、
前記輝度検出手段は、前記液晶パネルに表示する画像の内容と、前記バックライトの明るさの設定値とに基づいて、前記表示画面の輝度を検出することを特徴とする物体接近検出装置。
【請求項３】
表示画面の近傍領域に設けられ、測定光を照射する発光部と、被検出物による反射光を受光する受光部とを有するセンサ手段と、
前記受光部の受光量に基づいて、前記センサ手段から前記被検出物までの距離を算出する距離算出手段と、
前記表示画面の輝度を検出する輝度検出手段と、
前記輝度検出手段によって検出された輝度に基づいて、前記距離算出手段による距離算出に用いられる前記受光部の受光量を補正する補正手段と、
を備え、前記表示画面は、裏側にバックライトが設けられた液晶パネルであり、
前記輝度検出手段は、前記液晶パネルに表示する画像を構成する各画素の画素値に基づいて、前記表示画面の輝度を検出することを特徴とする物体接近検出装置。
【請求項４】
請求項３において、
前記輝度検出手段は、前記液晶パネルに表示する画像を構成する各画素の画素値と、前記バックライトの明るさの設定値とに基づいて、前記表示画面の輝度を検出することを特徴とする物体接近検出装置。
【請求項５】
請求項１〜４のいずれか一項において、
前記表示画面から照射される光の波長と前記測定光の波長が少なくとも一部において重複していることを特徴とする物体接近検出装置。
【請求項６】
請求項１〜５のいずれか一項において、
前記表示画面と前記センサ手段が同じ筐体に収容されていることを特徴とする物体接近検出装置。
【請求項７】
請求項１〜６のいずれか一項において、
前記表示画面と前記センサ手段が、同じカバーガラスで覆われていることを特徴とする物体接近検出装置。
【請求項８】
請求項１〜７のいずれか一項において、
前記表示画面にタッチパネルが重ねて配置されていることを特徴とする物体接近検出装置。
【請求項９】
請求項１〜８のいずれか一項において、
前記表示画面は、車両の運転席と助手席の間のダッシュボードに設けられており、
前記センサ手段は、前記表示画面の下方に配置されていることを特徴とする物体接近検出装置。
【請求項１０】
測定光を照射する発光部と、被検出物による反射光を受光する受光部とを有し、表示画面の近傍領域に設けられたセンサ手段から前記被検出物までの距離を検出する物体接近検出方法であって、
表示画面の輝度を輝度検出手段によって検出するステップと、
前記被検出物の反射光を前記受光部によって受光するステップと、
前記輝度検出手段によって検出された輝度に基づいて前記受光部の受光量を補正手段によって補正するステップと、
前記補正手段によって補正された後の前記受光部の受光量に基づいて、センサ手段から前記被検出物までの距離を距離算出手段によって算出するステップと、
を有し、前記表示画面は、裏側にバックライトが設けられた液晶パネルであり、
前記輝度検出手段は、前記液晶パネルに表示する画像の内容に基づいて、前記表示画面の輝度を検出することを特徴とする物体接近検出方法。
【請求項１１】
測定光を照射する発光部と、被検出物による反射光を受光する受光部とを有し、表示画面の近傍領域に設けられたセンサ手段から前記被検出物までの距離を検出する物体接近検出方法であって、
表示画面の輝度を輝度検出手段によって検出するステップと、
前記被検出物の反射光を前記受光部によって受光するステップと、
前記輝度検出手段によって検出された輝度に基づいて前記受光部の受光量を補正手段によって補正するステップと、
前記補正手段によって補正された後の前記受光部の受光量に基づいて、センサ手段から前記被検出物までの距離を距離算出手段によって算出するステップと、
を有し、前記表示画面は、裏側にバックライトが設けられた液晶パネルであり、
前記輝度検出手段は、前記液晶パネルに表示する画像を構成する各画素の画素値に基づいて、前記表示画面の輝度を検出することを特徴とする物体接近検出方法。
【発明の詳細な説明】
【技術分野】
【０００１】
本発明は、表示画面に利用者の手等が近づいたことを検出する物体接近検出装置および物体接近検出方式に関する。
【背景技術】
【０００２】
従来から、液晶パネルおよびタッチパネルの下方にフォトセンサを設け、タッチパネルに近づいたユーザの手をフォトセンサで検出したときに、タッチパネルの表示内容等を変更するようにした表示制御装置が知られている（例えば、特許文献１参照。）。例えば、ユーザが一定時間タッチパネルの操作を行っていない場合に時計画像やアニメーション画像等を表示し、ユーザの手がタッチパネルに接近したときに、これらの画像表示から操作画面表示に切り替えることができる。
【先行技術文献】
【特許文献】
【０００３】
【特許文献１】特開２０１０−１９１２８８号公報
【発明の概要】
【発明が解決しようとする課題】
【０００４】
ところで、上述した特許文献１に開示された表示制御装置では、フォトセンサを構成する発光素子からの光がユーザの手で反射した反射光を受光素子で受光することにより、ユーザの手の接近を検出している。
【０００５】
一方、最近は、液晶パネルを含む液晶表示装置の高輝度化が進んでおり、液晶表示装置からユーザの手に到達する光の量も増加する傾向にある。このため、液晶パネルからの光がユーザの手で反射してフォトセンサの受光素子に到達すると、ユーザの手が実際よりも近づいたと誤検出することになる。このように、従来は、誤検出が発生するとともに、表示内容に応じて検出精度が変化するという問題があった。
【０００６】
本発明は、このような点に鑑みて創作されたものであり、その目的は、接近する物体の誤検出を防止するとともに、表示画面の表示内容に応じた検出精度の変動を抑制することができる物体接近検出装置および物体接近検出方法を提供することにある。
【課題を解決するための手段】
【０００７】
上述した課題を解決するために、本発明の物体接近検出装置は、表示画面の近傍領域に設けられ、測定光を照射する発光部と、被検出物による反射光を受光する受光部とを有するセンサ手段と、受光部の受光量に基づいて、センサ手段から被検出物までの距離を算出する距離算出手段と、表示画面の輝度を検出する輝度検出手段と、輝度検出手段によって検出された輝度に基づいて、距離算出手段による距離算出に用いられる受光部の受光量を補正する補正手段とを備えている。
【０００８】
また、本発明の物体接近検出方法は、測定光を照射する発光部と、被検出物による反射光を受光する受光部とを有し、表示画面の近傍領域に設けられたセンサ手段から被検出物までの距離を検出する物体接近検出方法であって、表示画面の輝度を輝度検出手段によって検出するステップと、被検出物の反射光を受光部によって受光するステップと、輝度検出手段によって検出された輝度に基づいて受光部の受光量を補正手段によって補正するステップと、補正手段によって補正された後の受光部の受光量に基づいて、センサ手段から被検出物までの距離を距離算出手段によって算出するステップとを有している。
【０００９】
表示画面からの光が被検出物に到達して反射した場合であっても、表示画面の輝度に応じてセンサ手段の出力（受光部の受光量）が補正されるため、表示画面からの光による影響を排除することができる。これにより、接近する物体（被検出物）の誤検出を防止するとともに、表示画面の表示内容に応じた検出精度の変動を抑制することができる。
【００１０】
また、上述した表示画面から照射される光の波長と測定光の波長が少なくとも一部において重複していることが望ましい。表示画面から照射される光の波長と測定光の波長が少なくとも一部において重複する場合であっても、受光部による受光対象となる光の波長を気にする必要がないため、受光部（センサ手段）の選択の自由度が増し、部品調達がしやすくなるとともに部品コストの低減が可能となる。
【００１１】
また、上述した表示画面は、裏側にバックライトが設けられた液晶パネルであることが望ましい。これにより、バックライトの光が液晶パネルを通して照射され、被検出物で反射された後に受光部に入射した場合に生じる物体の誤検出防止および検出精度の変動抑制が可能となる。
【００１３】
また、上述した輝度検出手段は、液晶パネルに表示する画像の内容に基づいて、表示画面の輝度を検出する。また、上述した輝度検出手段は、液晶パネルに表示する画像の内容と、バックライトの明るさの設定値とに基づいて、表示画面の輝度を検出することが望ましい。あるいは、上述した輝度検出手段は、液晶パネルに表示する画像を構成する各画素の画素値に基づいて、表示画面の輝度を検出する。また、上述した輝度検出手段は、液晶パネルに表示する画像を構成する各画素の画素値と、バックライトの明るさの設定値とに基づいて、表示画面の輝度を検出することが望ましい。電源から液晶パネルの駆動用に流れる電流値を用いる代わりに、液晶パネルに表示する画像の内容や、液晶パネルに表示する画像を構成する各画素の画素値を用いることにより、表示画面の輝度を検出することができ、物体の誤検出防止および検出精度の変動抑制が可能となる。
【００１４】
また、上述した表示画面とセンサ手段が同じ筐体に収容されていることが望ましい。表示画面とセンサ手段とが同じ筐体に収容されているためこれらを物理的に隔離することが困難となるが、このような場合であっても、表示画面からの照射による検出精度の低下がなく、物体の誤検出防止および検出精度の変動抑制が可能となる。
【００１５】
また、上述した表示画面とセンサ手段が、同じカバーガラスで覆われていることが望ましい。表示画面とセンサ手段とを同じカバーガラスで覆うとこのカバーガラス内において生じる反射により受光部に到達する光も加わることになるが、このような場合であっても、表示画面からの照射による検出精度の低下がなく、物体の誤検出防止および検出精度の変動抑制が可能となる。
【００１６】
また、上述した表示画面にタッチパネルが重ねて配置されていることが望ましい。タッチパネルを操作するために表示画面に利用者の指等を近づける必要があるが、このような場合であっても表示画面からの照射光が利用者の指等に反射することによる検出精度の低下がなく、利用者の指等についての誤検出防止および検出精度の変動抑制が可能となる。
【００１７】
また、上述した表示画面は、車両の運転席と助手席の間のダッシュボードに設けられており、センサ手段は、表示画面の下方に配置されていることが望ましい。ダッシュボードに設置された表示画面を利用者が指等で指し示す場合には、表示画面の下方から指等を近づけることになるが、このような場合であっても表示画面からの照射光が利用者の指等に反射することによる検出精度の低下がなく、利用者の指等についての誤検出防止および検出精度の変動抑制が可能となる。
【図面の簡単な説明】
【００１８】
【図１】一実施形態の画像表示装置の構成を示す図である。
【図２】物体検出センサの設置位置を示す図である。
【図３】表示画面と物体検出センサの設置位置を示す断面図である。
【図４】被検出物としての利用者の指等までの距離を算出する動作手順の流れ図である。
【図５】ＬＣＤ開口率と検出誤差との関係を示す図である。
【図６】変形例の画像表示装置の構成を示す図である。
【発明を実施するための形態】
【００１９】
以下、本発明を適用した一実施形態の画像表示装置について、図面を参照しながら説明する。
【００２０】
図１は、一実施形態の画像表示装置の構成を示す図である。図１に示す画像表示装置１００は、例えば、車両の運転席と助手席の間のダッシュボードに搭載されたヘッドユニットに組み込まれるものであって、ヘッドユニット本体（図示せず）から出力される映像信号に基づく画像表示を行うとともに、タッチパネルによって検出される利用者の指先等の位置や、物体検出センサによって検出される利用者の指先等までの距離をヘッドユニット本体に出力する。
【００２１】
画像表示装置１００は、トランシーバ１１０、表示ドライバ１１２、表示パネル１１４、バックライト１１６、タッチパネル１１８、制御信号生成部１２０、バックライトドライバ１２２、物体検出センサ１３０、電源回路１４０、輝度検出部１４２、制御部１５０を含んで構成されている。
【００２２】
トランシーバ１１０は、映像入力端子を介してヘッドユニット本体から入力されるＬＶＤＳ（Low Voltage Differential Signaling）形式の映像信号をＲＧＢ形式の映像信号に変換する。表示ドライバ１１２は、このＲＧＢ形式の映像信号に基づいて表示パネル１１４を駆動し、この映像信号によって示される画像を表示する。表示パネル１１４は、例えばカラー液晶パネルであって、背面から照明するバックライト１１６と対向させた状態で組み付けられる。バックライト１１６は、例えばＬＥＤによって形成されているが、それ以外の光源を用いるようにしてもよい。
【００２３】
また、タッチパネル１１８は、表示パネル１１４の表面に重ねて配置されており、利用者の指等が接触した画面上の位置を検出する。このタッチパネル１１８としては、例えば静電容量式のタッチパネルが用いられるが、その他の方式（抵抗膜方式等）のタッチパネルを用いるようにしてもよい。
【００２４】
制御信号生成部１２０は、バックライト１１６の輝度を調整するための制御信号（例えば、ＰＷＭ（Pulse Width Modulation：パルス幅変調）制御によって調整するためのＰＷＭ信号）を生成する。バックライトドライバ１２２は、制御信号生成部１２０によって生成された制御信号に基づく制御を行ってバックライト１１６を駆動する。例えば、制御信号としてのＰＷＭ信号のオンデューティを増加させることにより、バックライト１１６の輝度が高く（明るく）なり、反対に、オンデューティを減少させることにより、バックライト１１６の輝度が低く（暗く）なる。
【００２５】
物体検出センサ１３０は、発光部１３２と受光部１３４を有し、表示パネル１１４の近傍領域に設けられている。発光部１３２は、被検出領域として表示パネル１１４の前方に向けて測定光を照射する。例えば、近赤外光が測定光として用いられている。また、受光部１３４は、被検出物による反射光を受光する。この反射光には、発光部１３２によって照射された光に対応する反射光だけでなく、バックライト１１６から照射されて表示パネル１１４を通過した光に対応する反射光も含まれる。バックライト１１６から照射される光の波長と発光部１３２から照射される測定光の波長が少なくとも一部において重複しており、バックライト１１６から照射されて表示パネル１１４を通過した光が被検出物に到達すると、受光部１３４が受光する受光量が増加する。
【００２６】
図２は、物体検出センサ１３０の設置位置を示す図である。また、図３は表示画面と物体検出センサ１３０の設置位置を示す断面図である。図２に示すように、表示画面（表示パネル１１４、バックライト１１６）の設置領域１１８ａの下方に、物体検出センサ１３０の設置領域１３０ａが設けられており、表示画面と物体検出センサ１３０が同じ筐体２００に収容されている。
【００２７】
また、図３に示すように、表示画面（表示パネル１１４、バックライト１１６）と物体検出センサ１３０は、同じカバーガラス２１０で覆われている。このため、表示画面から照射される光の一部が、カバーガラス２１０の内部で反射されて物体検出センサ１３０に直接入射しやすくなっている。
【００２８】
なお、物体センサ１３０の個数は１つでもよいが、検出精度を向上させるために２つあるいは３つ以上を設けるようにしてもよい。例えば、３つの物体検出センサ１３０を用いる場合には、横長の設置領域１３０ａの両端近傍と中央にこれら３つの物体検出センサ１３０が配置される。
【００２９】
電源回路１４０は、バッテリ端子ＢＡＴＴを介してバッテリ（図示せず）に接続されており、画像表示装置１００の各部に動作電力を供給する。なお、図１に示す構成では、電源回路１４０と表示ドライバ１１２の間の電源ラインＰのみが図示されており、それ以外の電源ラインについては図示が省略されている。
【００３０】
輝度検出部１４２は、表示画面の輝度（バックライト１１６から照射されて表示パネル１１４を通過した光の輝度）を検出する。この輝度検出部１４２は、抵抗１４４と増幅器１４６を含んで構成されている。抵抗１４４は、電源回路１４０と表示ドライバ１１２の間の電源ラインＰに挿入されており、電源回路１４０から表示ドライバ１１２に流れる電流値を検出するためのものである。増幅器１４６は、抵抗１４４の両端電圧を増幅する。例えば、ノーマリーブラックの場合（非駆動時に表示パネル１１４が不透明になり、表示パネル１１４を駆動する電流値が増加するにしたがって透明度が増す）であってバックライト１１６の明るさが一定の場合を考えると、表示パネル１１４を駆動する電流値が多くなるほど表示パネル１１４の透明度が増し、透過するバックライト１１６の光が増加する。したがって、表示画面の輝度は、抵抗１４４と増幅器１４６によって検出される電流値に比例したものになり、本実施形態では、検出される電流値を表示画面の輝度として用いている。
【００３１】
制御部１５０は、画像表示装置１００全体を制御するとともに、タッチパネル１１８を用いた利用者の指先等の位置検出や、物体検出センサ１３０を用いた利用者の指先等までの距離算出を行う。この制御部１５０は、ＢＬ（バックライト）明るさ設定部１５２、補正部１５４、物体距離算出部１５６、接触位置検出部１５８、通信部１６０を含んでいる。
【００３２】
ＢＬ明るさ設定部１５２は、ヘッドユニットからの指示に応じてバックライト１１６の明るさを設定する。例えば、バックライト１１６を常時点灯（ＰＷＭ信号のオンデューティ１００％）させた場合の明るさを１００としたときに、ＢＬ明るさ設定部１５２は、バックライト１１６の明るさＬ（０＜Ｌ≦１００）を設定する。この明るさの設定値Ｌは、補正部１５４と制御信号生成部１２０に入力される。制御信号生成部１２０では、この明るさの設定値ＬをオンデューティとしたＰＷＭ信号が生成される。
【００３３】
補正部１５４は、物体検出センサ１３０の受光部１３４の受光量と、輝度検出部１４２によって検出される表示画面の輝度と、ＢＬ明るさ設定部１５２から出力されるバックライト１１６の明るさ設定値Ｌとが入力されており、受光部１３４の受光量を、表示画面の輝度とバックライト１１６の明るさ設定値Ｌとを用いて補正する。具体的には、表示画面の輝度やバックライト１１６の明るさが増すと、その分だけ受光部１３４の受光量に含まれるこれらの成分が増えるため、受光量に含まれるこれらの成分を打ち消すように受光量の補正が行われる。
【００３４】
物体距離算出部１５６は、表示画面の輝度とバックライト１１６の明るさによる影響を取り除いた補正後の受光量（受光部１３４の受光量に対して補正部１５４による補正が行われた後の受光量）に基づいて、物体検出センサ１３０（あるいはタッチパネル１１８）から被検出物としての利用者の指等までの距離を算出する。
【００３５】
接触位置検出部１５８は、タッチパネル１１８を用いて利用者の指等の接触の有無を監視しており、指等が接触したときのその位置を検出する。
【００３６】
通信部１６０は、画像表示装置１００と外部との間でデータの送受信処理を行う。例えばＣＡＮ（Controller Area Network）プロトコルにしたがった通信によって、物体距離算出部１５６によって算出された距離や接触位置検出部１５８によって検出された位置をヘッドユニット本体に向けて送信し、バックライト１１６の明るさの設定指示をヘッドユニット本体から受信する。
【００３７】
上述した物体検出センサ１３０がセンサ手段に、物体距離算出部１５６が距離算出手段に、輝度検出部１４２が輝度検出手段に、補正部１５４が補正手段にそれぞれ対応する。
【００３８】
本実施形態の画像表示装置１００はこのような構成を有しており、次に、その動作を説明する。図４は、被検出物としての利用者の指等までの距離を算出する動作手順の流れ図である。この動作手順は、所定の時間間隔（例えば、１／３０秒間隔）で繰り返される。
【００３９】
まず、輝度検出部１４２は、表示画面の輝度を検出する（ステップ１００）。また、物体検出センサ１３０は、受光部１３４によって被検出物による反射光の受光量を検出する（ステップ１０２）。これらの輝度検出と受光量検出は、順番を入れ替えてもよいし、並行して行うようにしてもよい。
【００４０】
次に、補正部１５４は、ＢＬ明るさ設定部１５２からバックライト１１６の明るさ設定値Ｌを取得し（ステップ１０４）、この明るさ設定値Ｌとステップ１００で検出した表示画面の輝度とに基づいて、ステップ１０２で検出した反射光の受光量に対して補正を行う（ステップ１０６）。
【００４１】
次に、物体距離算出部１５６は、補正後の反射光の受光量に基づいて、被検出物としての利用者の指等までの距離を算出する（ステップ１０８）。なお、検出距離の上限を２０ｃｍとすると、これ以上被検出物が離れていた場合には、反射光の受光量が検出限界値以下となって距離の算出が困難になる。また、このようにして算出された被検出物までの距離は、通信部１６０を介してヘッドユニット本体に送信される。
【００４２】
図５は、ＬＣＤ開口率と検出誤差との関係を示す図である。図５において、横軸のＬＣＤ開口率は、表示パネル１１４による光の透過率を示している。また、縦軸の検出誤差は、例えば検出距離が１５ｃｍのときの検出誤差を示している。図５に示すように、従来は表示パネル１１４のＬＣＤ開口率が高くなってバックライト１１６の光が被検出物に到達する程度が大きくなるほど検出誤差が大きかったが、本実施形態（本発明）の画像表示装置１００では表示パネル１１４のＬＣＤ開口率にかかわらず検出誤差をなくすことができた。
【００４３】
このように、本実施形態の画像表示装置１００では、表示画面からの光が被検出物に到達して反射した場合であっても、表示画面の輝度に応じて物体検出センサ１３０の出力（受光部１３４の受光量）が補正されるため、表示画面からの光による影響を排除することができる。これにより、接近する被検出物（利用者の指等）の誤検出を防止するとともに、表示画面の表示内容に応じた検出精度の変動を抑制することができる。
【００４４】
特に、表示画面から照射される光の波長と発光部１３２から照射される測定光の波長の少なくとも一部が重複している場合であっても、受光部１３４による受光対象となる光の波長を気にする必要がないため、受光部１３４（物体検出センサ１３０）の選択の自由度が増し、部品調達がしやすくなるとともに部品コストの低減が可能となる。
【００４５】
また、表示画面は、裏側にバックライト１１６が設けられた液晶パネル（表示パネル１１４）であり、バックライト１１６の光が液晶パネルを通して照射され、被検出物で反射された後に受光部１３４に入射した場合に生じる物体の誤検出防止および検出精度の変動抑制が可能となる。
【００４６】
また、輝度検出部１４２は、電源回路１４０から液晶パネルの駆動用に流れる電流値に基づいて、表示画面の輝度を検出している。また、輝度検出部１４２は、電源回路１４０から液晶パネルの駆動用に流れる電流値と、バックライト１１６の明るさの設定値とに基づいて、表示画面の輝度を検出している。電源回路１４０から液晶パネルの駆動用に流れる電流値と液晶パネルの表示内容との間には密接な関係があるため、この電流値を用いることにより、表示画面の輝度を複雑な構成を用いることなく簡単に検出することが可能となる。また、バックライト１１６の明るさの設定値を考慮することにより、バックライト１１６の明るさを変更した場合であっても、被検出物の誤検出防止および検出精度の変動抑制が可能となる。
【００４７】
また、表示画面と物体検出センサ１３０が同じ筐体２００（図２、図３）に収容されているため、これらを物理的に隔離することが困難となるが、このような場合であっても、表示画面からの照射による検出精度の低下がなく、物体の誤検出防止および検出精度の変動抑制が可能となる。
【００４８】
また、表示画面と物体検出センサ１３０が同じカバーガラス２１０（図３）で覆われている。表示画面と物体検出センサ１３０とを同じカバーガラス２１０で覆うと、表示画面と物体検出センサ１３０との間に生じる段差や境目がなくなって商品性を向上させることができるが、その反面、このカバーガラス２１０内において生じる反射により受光部１３４に到達する光も加わることになるが、このような場合であっても、表示画面からの照射による検出精度の低下がなく、被検出物の誤検出防止および検出精度の変動抑制が可能となる。
【００４９】
また、表示画面にはタッチパネル１１８が重ねて配置されている（あるいは、表示画面にはタッチパネル１１８が含まれる）。タッチパネル１１８を操作するために表示画面に利用者の指等を近づける必要があるが、このような場合であっても表示画面からの照射光が利用者の指等に反射することによる検出精度の低下がなく、利用者の指等についての誤検出防止および検出精度の変動抑制が可能となる。
【００５０】
また、表示画面は、車両の運転席と助手席の間のダッシュボードに設けられており、物体検出センサ１３０は、表示画面の下方に配置されている。ダッシュボードに設置された表示画面を利用者が指等で指し示す場合には、表示画面の下方から指等を近づけることになるが、このような場合であっても表示画面からの照射光が利用者の指等に反射することによる検出精度の低下がなく、利用者の指等についての誤検出防止および検出精度の変動抑制が可能となる。
【００５１】
なお、本発明は上記実施形態に限定されるものではなく、本発明の要旨の範囲内において種々の変形実施が可能である。例えば、上述した実施形態では、電源回路１４０から表示ドライバ１１２に流れる電流値に基づいて表示画面の輝度を検出するようにしたが、表示パネル（液晶パネル）１１４に表示する画像の内容に基づいて、具体的には、表示パネル１１４に表示する画像を構成する各画素の画素値に基づいて、表示画面の輝度を検出するようにしてもよい。例えば、各画素の画素値が透明に近いほど表示画面全体の輝度が明るくなり、反対に各画素の画素値が不透明に近いほど表示画面全体の輝度が暗くなる。
【００５２】
図６は、変形例の画像表示装置の構成を示す図である。図６に示す画像表示装置１００Ａは、図１に示した画像表示装置１００に対して、輝度検出部１４２を輝度検出部１４２Ａに置き換えた点が異なっており、その他の構成については基本的に同じである。輝度検出部１４２Ａは、上述した輝度検出動作、すなわち、トランシーバ１１０から出力される各画素に対応するＲＧＢ信号を用いて、表示パネル１１４に表示する画像の内容に基づいて、具体的には、表示パネル１１４に表示する画像を構成する各画素の画素値に基づいて、表示画面の輝度を検出する。電源回路１４０から表示パネル１１４の駆動用に表示ドライバ１１２に流れる電流値を用いて輝度検出を行う代わりに、表示パネル１１４に表示する画像の内容や、表示パネル１１４に表示する画像を構成する各画素の画素値を用いることにより、表示画面の輝度を検出することができ、物体の誤検出防止および検出精度の変動抑制が可能となる。
【００５３】
また、上述した実施形態では、補正部１５４は、輝度検出部１４２から出力される表示画面の輝度と、ＢＬ明るさ設定部１５２から出力されるバックライト１１６の明るさ設定値Ｌに基づいて受光量の補正を行ったが、バックライト１１６の明るさが一定の場合には、バックライト１１６の明るさ設定値Ｌを固定値とし、輝度検出部１４２から出力される表示画面の輝度のみに基づいて受光量の補正を行うようにしてもよい。
【００５４】
また、上述した実施形態では、タッチパネル１１８を含む場合について説明したが、画像表示装置１００の近傍にスイッチ類や各種操作つまみ等が配置されている場合もあるため、タッチパネル１１８を含まない場合に本発明を適用してもよい。
【００５５】
また、上述した実施形態では、図２に示すように、表示画面の設置領域１１８ａの下方に物体検出センサ１３０の設置領域１３０ａを設けたが、物体検出センサ１３０の設置領域１３０ａは、表示画面の設置領域１１８ａの上方、左右、上下左右の全周などに設けるようにしてもよい。
【００５６】
また、上述した実施形態では、図３に示すように、表示画面（表示パネル１１４、バックライト１１６）と物体検出センサ１３０を同じカバーガラス２１０で覆うようにしたが、これらを別々のカバーガラスで覆ったり、少なくとも一方を覆っているカバーガラスを他の素材に変更したり、取り除くようにしてもよい。
【００５７】
また、上述した実施形態では、車両に搭載された画像表示装置１００について説明したが、車両以外に設置された画像表示装置について本発明を適用するようにしてもよい。また、表示パネル１１４としてカラー液晶パネルを用いたが、カラー液晶パネル以外の表示画面を用いる場合にも本発明を適用することができる。
【産業上の利用可能性】
【００５８】
上述したように、本発明によれば、表示画面からの光が被検出物に到達して反射した場合であっても、表示画面の輝度に応じてセンサ手段の出力（受光部の受光量）が補正されるため、表示画面からの光による影響を排除することができる。これにより、接近する物体（被検出物）の誤検出を防止するとともに、表示画面の表示内容に応じた検出精度の変動を抑制することができる。
【符号の説明】
【００５９】
１００  画像表示装置
１１０  トランシーバ
１１２  表示ドライバ
１１４  表示パネル
１１６  バックライト
１１８  タッチパネル
１２０  制御信号生成部
１２２  バックライトドライバ
１３０  物体検出センサ
１３２  発光部
１３４  受光部
１４０  電源回路
１４２  輝度検出部
１４４  抵抗
１４６  増幅器
１５０  制御部
１５２  ＢＬ（バックライト）明るさ設定部
１５４  補正部
１５６  物体距離算出部
１５８  接触位置検出部
２００  筐体
２１０  カバーガラス
【図１】
0006628659.tif 000002
【図２】
0006628659.tif 000003
【図３】
0006628659.tif 000004
【図４】
0006628659.tif 000005
【図５】
0006628659.tif 000006
【図６】
0006628659.tif 000007